(57)【要約】【課題】潜熱蓄熱槽と貯湯タンクとを備えた蓄熱式温水装置において、潜熱蓄熱槽の加熱に伴う電力量の増大や、エネルギー効率の低下を抑制した蓄熱式温水装置を提供すること。【解決手段】加熱装置３３で加熱された高温水を貯湯する温度成層式の貯湯タンク３１と、筐体内に貯湯タンク３１が配設されている貯湯タンクユニット３と、潜熱蓄熱槽２１と、筐体内に潜熱蓄熱槽２１が配設されている蓄熱ユニット２と、を備え、蓄熱ユニット２は、貯湯タンクユニット３の筐体の上面に設置されているとともに、潜熱蓄熱槽２１の上面から、潜熱蓄熱槽２１の上面に対向する蓄熱ユニット２の筐体を形成する部材まで含む熱抵抗Ｒ１は、潜熱蓄熱槽２１の下面から、貯湯タンク３１の天面を形成する部材まで含む熱抵抗Ｒ２よりも大きい蓄熱式温水装置。【選択図】図１
2019190668.tif 000002
【特許請求の範囲】
【請求項１】
加熱装置で加熱された高温水を貯湯する温度成層式の貯湯タンクと、
筐体内に前記貯湯タンクが配設されている貯湯タンクユニットと、
潜熱蓄熱槽と、
筐体内に前記潜熱蓄熱槽が配設されている蓄熱ユニットと、
を備え、
前記蓄熱ユニットは、前記貯湯タンクユニットの筐体の上面に設置されているとともに、前記潜熱蓄熱槽の上面から、前記潜熱蓄熱槽の上面に対向する前記蓄熱ユニットの筐体を形成する部材まで含む熱抵抗Ｒ１は、
前記潜熱蓄熱槽の下面から、前記貯湯タンクの天面を形成する部材まで含む熱抵抗Ｒ２よりも大きい蓄熱式温水装置。
【請求項２】
前記潜熱蓄熱槽を覆う潜熱蓄熱槽用断熱材を備え、前記潜熱蓄熱槽用断熱材の前記潜熱蓄熱槽を上方側から覆う部位の熱抵抗は、前記潜熱蓄熱槽用断熱材の前記潜熱蓄熱槽を下方側から覆う部位の熱抵抗よりも大きい請求項１に記載の蓄熱式温水装置。
【請求項３】
前記潜熱蓄熱槽に入水する蓄熱入水管と、前記貯湯タンクに貯湯されている水が出水するタンク出水管とを備え、前記蓄熱入水管と前記タンク出水管とは、切換装置を介して接続されている請求項１または２に記載の蓄熱式温水装置。
【発明の詳細な説明】
【技術分野】
【０００１】
本発明は、高温の熱媒体が保有する熱エネルギーを潜熱蓄熱槽や貯湯タンクに貯える蓄熱式温水装置に関するものである。
【背景技術】
【０００２】
従来、この種の蓄熱式温水装置は、熱源で生成した高温の熱媒体を貯留し、給湯などの利用端末で利用している（例えば、特許文献１参照）。図６は、特許文献１に記載された従来の蓄熱式温水装置を示すものである。
【０００３】
図６（ａ）に示すように、熱源４００は、第一循環回路４１０を介して潜熱蓄熱槽２００と接続される。潜熱蓄熱槽２００は、第二循環回路４２０を介して、貯湯タンク３００と接続される。貯湯タンク３００は、利用端末である蛇口５１０、空気調和機５２０、浴槽５３０と接続され構成されている。
【０００４】
熱源４００で生成された高温の熱媒体は、第一循環回路４１０を循環し、潜熱蓄熱槽２００で放熱し、潜熱蓄熱槽２００は蓄熱される。利用端末での熱需要に従い、その蓄熱エネルギーの一部は、第二循環回路４２０を介して、貯湯タンク３００へ搬送され、貯湯タンク３００内の水の加熱に使用され、貯湯タンク３００では温水が生成され、貯湯タンク３００内に蓄熱される。生成された温水は、利用端末へ搬送され、給湯、暖房、風呂などに利用される。
【０００５】
潜熱蓄熱槽２００の温度が所定の温度以下になると、熱源４００から高温の熱媒体が循環し、潜熱蓄熱槽２００で放熱を行い、潜熱蓄熱槽２００は蓄熱され、所定の温度が確保される。
【０００６】
特に、図６（ａ）のように、潜熱蓄熱槽２００を用いて熱エネルギーを貯留する場合、水などの顕熱で熱エネルギーを貯留する場合と比べて、蓄熱密度の増大が可能なため、蓄熱容器容積の低減や、蓄熱容器表面からの放熱量を低減できる。
【０００７】
また、図６（ｂ）は機器の配設状態を示す概観図である。図６（ｂ）には、潜熱蓄熱槽２００を、貯湯タンク３００の下方側に配設させて、一体化させた構成が開示されている。
【先行技術文献】
【特許文献】
【０００８】
【特許文献１】特開２０１１−２３７１３８号公報
【発明の概要】
【発明が解決しようとする課題】
【０００９】
しかしながら、前記従来の構成では潜熱蓄熱槽の上面が、温度成層を形成している貯湯タンクの下面に隣接しているため、高温の潜熱蓄熱槽が、低温の貯湯タンクの下面により冷却されることで、潜熱蓄熱槽の温度が低下し、潜熱蓄熱槽を加熱するための電力量の増大や、エネルギー効率が低下してしまう可能性があるという課題を有していた。
【００１０】
本発明は、前記従来の課題を解決するもので、潜熱蓄熱槽と貯湯タンクとを備えた蓄熱式温水装置において、潜熱蓄熱槽の加熱に伴う電力量の増大や、エネルギー効率の低下を抑制した蓄熱式温水装置を提供することを目的とする。
【課題を解決するための手段】
【００１１】
前記従来の課題を解決するために、本発明の蓄熱式温水装置は、加熱装置で加熱された高温水を貯湯する温度成層式の貯湯タンクと、筐体内に前記貯湯タンクが配設されている貯湯タンクユニットと、潜熱蓄熱槽と、筐体内に前記潜熱蓄熱槽が配設されている蓄熱ユニットと、を備え、前記蓄熱ユニットは、前記貯湯タンクユニットの筐体の上面に設置されているとともに、前記潜熱蓄熱槽の上面から、前記潜熱蓄熱槽の上面に対向する前記蓄熱ユニットの筐体を形成する部材まで含む熱抵抗Ｒ１は、前記潜熱蓄熱槽の下面から、前記貯湯タンクの天面を形成する部材まで含む熱抵抗Ｒ２よりも大きいものである。
【００１２】
これにより、潜熱蓄熱槽の下面と、温度成層式である貯湯タンクの上面との温度差は小さいため、潜熱蓄熱槽と貯湯タンクとの熱移動量が低減するため、潜熱蓄熱槽の加熱に伴う電力量の増大を抑制できる。
【００１３】
さらに、Ｒ２＜Ｒ１のため、蓄熱ユニットの外気側への潜熱蓄熱槽からの放熱を抑制でき、また、潜熱蓄熱槽の温度が貯湯タンクの温度よりも低くなり、貯湯タンク側から潜熱蓄熱槽側へ熱が移動した場合においても、その移動した熱の潜熱蓄熱槽への蓄熱性能を向上できるため、エネルギー効率の低下を抑制できる。
【発明の効果】
【００１４】
本発明によれば、潜熱蓄熱槽と貯湯タンクとを備えた蓄熱式温水装置において、潜熱蓄熱槽の加熱に伴う電力量の増大や、エネルギー効率の低下を抑制した蓄熱式温水装置を提供できる。
【図面の簡単な説明】
【００１５】
【図１】本発明の実施の形態１における蓄熱式温水装置の概略構成図
【図２】（ａ）本発明の実施の形態１における蓄熱式温水装置のＲ２＞Ｒ１の場合の温度分布図（ｂ）本発明の実施の形態１における蓄熱式温水装置のＲ２＜Ｒ１の場合の温度分布図
【図３】本発明の実施の形態１における蓄熱式温水装置のタンク出水管のみから高温水が出湯する場合の概略説明図
【図４】本発明の実施の形態１における蓄熱式温水装置のタンク出水管から蓄熱ユニットを介して蓄熱出水管から高温水が出湯する場合の概略説明図
【図５】本発明の実施の形態１における蓄熱式温水装置の潜熱蓄熱槽を蓄熱する場合の概略説明図
【図６】（ａ）従来の蓄熱式温水装置の概略構成図（ｂ）従来の蓄熱式温水装置の配設状態を示す概観図
【発明を実施するための形態】
【００１６】
第１の発明は、加熱装置で加熱された高温水を貯湯する温度成層式の貯湯タンクと、筐体内に前記貯湯タンクが配設されている貯湯タンクユニットと、潜熱蓄熱槽と、筐体内に前記潜熱蓄熱槽が配設されている蓄熱ユニットと、を備え、前記蓄熱ユニットは、前記貯湯タンクユニットの筐体の上面に設置されているとともに、前記潜熱蓄熱槽の上面から、前記潜熱蓄熱槽の上面に対向する前記蓄熱ユニットの筐体を形成する部材まで含む熱抵抗Ｒ１は、前記潜熱蓄熱槽の下面から、前記貯湯タンクの天面を形成する部材まで含む熱抵抗Ｒ２よりも大きい蓄熱式温水装置である。
【００１７】
これにより、潜熱蓄熱槽の下面と、温度成層式である貯湯タンクの上面との温度差は小さいため、潜熱蓄熱槽と貯湯タンクとの間における熱移動量が低減するため、潜熱蓄熱槽の加熱に伴う電力量の増大を抑制できる。
【００１８】
さらに、Ｒ２＜Ｒ１のため、蓄熱ユニットの外気側への潜熱蓄熱槽からの放熱を抑制でき、また、潜熱蓄熱槽の温度が貯湯タンクの温度よりも低くなり、貯湯タンク側から潜熱蓄熱槽側へ熱が移動した場合においても、その移動した熱の潜熱蓄熱槽への蓄熱性能を向上できるため、エネルギー効率の低下を抑制できる。
【００１９】
第２の発明は、特に、第１の発明の蓄熱式温水装置において、前記潜熱蓄熱槽を覆う潜熱蓄熱槽用断熱材を備え、前記潜熱蓄熱槽用断熱材の前記潜熱蓄熱槽を上方側から覆う部位の熱抵抗は、前記潜熱蓄熱槽用断熱材の前記潜熱蓄熱槽を下方側から覆う部位の熱抵抗よりも大きいものである。
【００２０】
これにより、潜熱蓄熱槽に保有されている熱は、蓄熱ユニット外の外気側よりも、貯湯タンクユニット側に移動しやすい構成のため、エネルギー効率の低下を抑制できる。
【００２１】
第３の発明は、特に、第１または第２の発明の蓄熱式温水装置において、前記潜熱蓄熱槽に入水する蓄熱入水管と、前記貯湯タンクに貯湯されている水が出水するタンク出水管とを備え、前記蓄熱入水管と前記タンク出水管とは、切換装置を介して接続されているものである。
【００２２】
これにより、貯湯タンクに貯湯されている水の温度が高い場合には、貯湯タンクに貯湯されている湯のみを出湯させるような流路を切換装置にて形成し、貯湯タンクに貯湯されている水の温度が低い場合には、貯湯タンクに貯湯されている水を潜熱蓄熱槽にて加熱した後、出湯させるような流路を切換装置にて形成できることで、使用性の高い蓄熱式温水装置を提供できる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における蓄熱式温水装置１の概略構成図を示すものである。
【００２５】
図１において、加熱装置３３（例えば、電気ヒータ）で加熱された高温水を貯える貯湯タンク３１は、貯湯タンクユニット３の筐体内に収納されている。そして、潜熱蓄熱槽２１を筐体内に収納する蓄熱ユニット２は、貯湯タンクユニット３の上面、すなわち、貯湯タンクユニット３の筐体の天面に設置されている。
【００２６】
潜熱蓄熱槽２１は、外周面を潜熱蓄熱槽用断熱材２２で被覆され、貯湯タンク３１は、貯湯タンク用断熱材３２で被覆されている。潜熱蓄熱槽２１には、潜熱蓄熱材が封入されており、例えば、パラフィンや糖アルコールなどの有機物や、酢酸ナトリウム三水和塩などの水和塩、およびそれらの複合物が用いられる。
【００２７】
このとき、潜熱蓄熱槽２１の上面から、潜熱蓄熱槽２１の上面に対向する蓄熱ユニット２の筐体を形成する部材まで含む熱抵抗Ｒ１は、潜熱蓄熱槽２１の下面から、貯湯タンク３１の天面を形成する部材まで含む熱抵抗Ｒ２よりも大きくなるように構成されている。
【００２８】
熱抵抗をＲ、熱伝導率をＫ、厚さをＬとした場合、熱抵抗Ｒの値は、Ｒ＝Ｌ／Ｋ、で表現できる。熱伝導率Ｋ、厚さＬを適宜調整することで、熱抵抗Ｒを所望の値に設定できる。
【００２９】
潜熱蓄熱槽用断熱材２２や貯湯タンク用断熱材３２としては、発泡ポリプロピレンの他に発砲ポリスチレンなどの発泡樹脂や、グラスウール、グラフファイバーなどの繊維材料、または、真空断熱材を用いることができる。これらの断熱材を、単体として、または、複合して用い、また、断熱材の間に空気の層を形成して配設し、熱抵抗Ｒを所望の値に設定できる。
【００３０】
また、潜熱蓄熱槽用断熱材２２は、上方側と下方側とに２分割されている断熱材から形成されており、潜熱蓄熱槽２１を上方側から覆う上方側潜熱蓄熱槽用断熱材２２ａの熱抵抗は、潜熱蓄熱槽用断熱材２２の潜熱蓄熱槽２１を下方側から覆う下方側潜熱蓄熱槽用断熱材２２ｂの熱抵抗よりも大きくなるように形成されている。
【００３１】
すなわち、潜熱蓄熱槽用断熱材２２を上下２分割の断熱材から形成するとともに、上方側潜熱蓄熱槽用断熱材２２ａと下方側潜熱蓄熱槽用断熱材２２ｂとを同一材料から形成し、上方側潜熱蓄熱槽用断熱材２２ａの厚さを下方側潜熱蓄熱槽用断熱材２２ｂの厚さよりも厚く形成することで、上記条件を満足するようにできる。
【００３２】
また、同一厚みでも、上方側潜熱蓄熱槽用断熱材２２ａの熱伝導率Ｋを、下方側潜熱蓄熱槽用断熱材２２ｂの熱伝導率Ｋよりも小さい材料を用いて形成することでも、上記条件を満足するようにできる。
【００３３】
ちなみに、熱抵抗Ｒ１は、上方側潜熱蓄熱槽用断熱材２２ａの熱抵抗と、蓄熱ユニット２の筐体を形成する金属板の熱抵抗とを合わせて調整することができる。
【００３４】
また、熱抵抗Ｒ２は、下方側潜熱蓄熱槽用断熱材２２ｂの熱抵抗と、蓄熱ユニット２の筐体を形成する金属板の熱抵抗と、貯湯タンクユニット３の筐体を形成する金属板の熱抵抗と、貯湯タンク用断熱材３２の熱抵抗と、貯湯タンク３１を形成する金属板の熱抵抗とを合わせて調整することができる。
【００３５】
ただし、金属板の熱抵抗は、断熱材の熱抵抗に対して極めて小さいので、ほとんど無視できるレベルである。
【００３６】
貯湯タンク３１の下部には、低温水が貯湯タンク３１へ流入するタンク入水管４１が設けられている。また、貯湯タンク３１の上部には、水が貯湯タンク３１から流出するタンク出水管４２が設けられている。さらに、貯湯タンク３１内の下方には、加熱装置３３（例えば、電気ヒータ）が設けられている。
【００３７】
そして、貯湯タンク３１の外表面には、貯湯タンク３１の水の温度を検出する複数の温度サーミスタである貯湯タンク上部温度サーミスタ３４ａ、貯湯タンク中部温度サーミスタ３４ｂ、貯湯タンク下部温度サーミスタ３４ｃが、高さの高い方から順に配設されている。また、潜熱蓄熱槽２１の温度を検出する潜熱蓄熱槽温度サーミスタ２３が配設されている。また、蓄熱式温水装置１は、蓄熱式温水装置１に設けられている機能部品の動作を制御する制御装置（図示せず）を有している。
【００３８】
そして、貯湯タンク３１は、タンク入水管４１から貯湯タンク３１の下部に入水した低温水を、加熱装置３３（例えば、電気ヒータ）にて加熱し、加熱生成された高温水を貯湯タンク３１に貯える温度成層式であり、貯湯タンク３１の上部に設けられているタンク出水管４２から高温水を出湯する構成である。
【００３９】
また、潜熱蓄熱槽２１の上流側には蓄熱入水管４３が設けられており、潜熱蓄熱槽２１の下流側には蓄熱出水管４４が設けられている。そして、タンク出水管４２と蓄熱入水管４３との間には第１切換装置５ａが設けられており、蓄熱出水管４４の途中には第２切換装置５ｂが設けられている。
【００４０】
なお、蓄熱出水管４４は貯湯タンク３１の下部に接続されており、第２切換装置５ｂと貯湯タンク３１の下部との間には、搬送装置４７が配設されている。また、第１切換装置５ａと第２切換装置５ｂとは配管にて接続されており、第２切換装置５ｂは、出湯管４５の一端側と接続されており、一方、出湯管４５の他端側は、給湯端末４６と接続されている。なお、第１切換装置５ａと第２切換装置５ｂは、三方弁である。
【００４１】
以上のように構成された蓄熱式温水装置１について、以下、その動作、作用について説明する。
【００４２】
図１に示すように、潜熱蓄熱槽２１を筐体内に収納する蓄熱ユニット２は、温度成層を形成している貯湯タンク３１を筐体内に収納する貯湯タンクユニット３の筐体の天面に配設されている。
【００４３】
この構成により、潜熱蓄熱槽２１の下面と、温度成層式である貯湯タンク３１の上面との温度差は小さいため、潜熱蓄熱槽２１と貯湯タンク３１との間における熱移動量が低減するため、潜熱蓄熱槽２１の加熱に伴う電力量の増大を抑制できる。
【００４４】
また、Ｒ２＜Ｒ１のため、蓄熱ユニット２の外気側への潜熱蓄熱槽２１からの放熱を抑制でき、さらに、潜熱蓄熱槽２１の温度が貯湯タンク３１の温度よりも低くなり、貯湯タンク３１側から潜熱蓄熱槽２１側へ熱が移動した場合においても、その移動した熱の潜熱蓄熱槽２１への蓄熱性能を向上できるため、エネルギー効率の低下を抑制できる。
【００４５】
なお、蓄熱式温水装置１は、室内または室外に設置されて、給湯、暖房、風呂などに利用されるため、蓄熱ユニット２は、筐体外の周囲の外気（例えば、２０℃）と接している。このため、潜熱蓄熱槽２１（例えば、６０℃）を筐体内に収納している蓄熱ユニット２は、外気との温度差によって冷却され、時間の経過とともに潜熱蓄熱槽２１の温度は低下する。
【００４６】
図２は、蓄熱式温水装置１の温度分布図を示すものである。貯湯タンク３１内の温水の温度をＴｉ（例えば、６０℃）、外気の温度をＴｏ（例えば、２０℃）とする。
【００４７】
図２（ａ）のように、Ｒ２＞Ｒ１の場合、つまり、潜熱蓄熱槽２１の上面から、潜熱蓄熱槽２１の上面に対向する蓄熱ユニット２の筐体を形成する部材まで含む熱抵抗Ｒ１が、潜熱蓄熱槽２１の下面から、貯湯タンク３１の天面を形成する部材まで含む熱抵抗Ｒ２よりも小さい場合には、潜熱蓄熱槽２１に保有されている熱は、蓄熱ユニット２の周囲の外気側に移動しやすい構成のため、潜熱蓄熱槽２１と外気との温度差によって、潜熱蓄熱槽２１が冷却され、時間の経過とともに潜熱蓄熱槽２１の温度はＴｉからＴｂへ低下する。
【００４８】
これに対し、図２（ｂ）のように、Ｒ２＜Ｒ１の場合、つまり、潜熱蓄熱槽２１の上面から、潜熱蓄熱槽２１の上面に対向する蓄熱ユニット２の筐体を形成する部材まで含む熱抵抗Ｒ１が、潜熱蓄熱槽２１の下面から、貯湯タンク３１の天面を形成する部材まで含む熱抵抗Ｒ２より大きい場合には、Ｒ２＞Ｒ１の場合に比べ、潜熱蓄熱槽２１に保有されている熱は、蓄熱ユニット２の周囲の外気側に移動しにくい構成のため、蓄熱ユニット２が周囲の外気で冷却された場合においても、潜熱蓄熱槽２１の温度の低下が抑制され、低下した潜熱蓄熱槽２１の温度はＴａ（＞Ｔｂ）となる。
【００４９】
以上のように、本実施の形態においては、蓄熱ユニット２を、潜熱蓄熱槽２１を筐体内に収納する蓄熱ユニット２は、温度成層を形成している貯湯タンク３１を筐体内に収納する貯湯タンクユニット３の筐体の天面に配設し、かつ、潜熱蓄熱槽２１の上面から、潜熱蓄熱槽２１の上面に対向する蓄熱ユニット２の筐体を形成する部材まで含む熱抵抗Ｒ１が、潜熱蓄熱槽２１の下面から、貯湯タンク３１の天面を形成する部材まで含む熱抵抗Ｒ２よりも大きい構成としたことで、潜熱蓄熱槽２１の下面と、温度成層式である貯湯タンク３１の上面との温度差を小さくでき、潜熱蓄熱槽２１と貯湯タンク３１との間における熱移動量を低減できるため、潜熱蓄熱槽２１の加熱に伴う電力量の増大を抑制できる。
【００５０】
さらに、蓄熱ユニット２の外気側への潜熱蓄熱槽２１からの放熱を抑制でき、また、潜熱蓄熱槽２１の温度が貯湯タンク３１の温度よりも低くなり、貯湯タンク３１側から潜熱蓄熱槽２１側へ熱が移動した場合においても、その移動した熱の潜熱蓄熱槽２１への蓄熱性能を向上できるため、エネルギー効率の低下を抑制できる。
【００５１】
図３は、本発明の実施の形態１における蓄熱式温水装置１のタンク出水管４２のみから高温水が出湯する場合の概略説明図である。
【００５２】
複数の温度サーミスタのうち、最も低い位置に配設されている貯湯タンク下部温度サーミスタ３４ｃの検出温度が所定温度以上の場合には、貯湯タンク３１内に高温水が十分に貯湯されているので、タンク出水管４２のみから高温水を出湯させる。
【００５３】
タンク出水管４２のみから高温水を出湯させる場合には、貯湯タンク３１の上部に設けられているタンク出水管４２が、潜熱蓄熱槽２１の下流側に設けられている蓄熱入水管４３と連通せず、タンク出水管４２が出湯管４５のみと直接連通するように、第１切換装置５ａと第２切換装置５ｂの流路方向を、制御装置（図示せず）が切り換える。
【００５４】
これにより、貯湯タンク３１内の高温水は、タンク出水管４２、第１切換装置５ａ、第２切換装置５ｂ、出湯管４５を介して、給湯端末４６から出湯される。このとき、貯湯タンク３１内の高温水は減少していくので、タンク入水管４１から貯湯タンク３１の下部に低温水が入水される。
【００５５】
図４は、本発明の実施の形態１における蓄熱式温水装置１のタンク出水管４２から蓄熱ユニット２を介して蓄熱出水管４４から高温水が出湯する場合の概略説明図である。
【００５６】
複数の温度サーミスタのうち、最も高い位置に配設されている貯湯タンク上部温度サーミスタ３４ａの検出温度が所定温度以下の場合には、貯湯タンク３１内に高温水が十分に貯湯されていないので、タンク出水管４２から流出する中温水または低温水を、潜熱蓄熱槽２１で加熱して高温水を生成してから、出湯管４５を介して、給湯端末４６から出湯するようにする。
【００５７】
この場合には、貯湯タンク３１の上部に設けられているタンク出水管４２が、潜熱蓄熱槽２１の下流側に設けられている蓄熱入水管４３のみと直接連通するように、第１切換装置５ａの流路方向を、制御装置（図示せず）が切り換える。
【００５８】
そして、潜熱蓄熱槽２１で加熱生成された高温水は、蓄熱出水管４４を流れ、その高温水が出湯管４５を流れるように、第２切換装置５ｂの流路方向を、制御装置（図示せず）が切り換えることで、給湯端末４６から出湯される。
【００５９】
図５は、本発明の実施の形態１における蓄熱式温水装置１の潜熱蓄熱槽２１を蓄熱する場合の概略説明図である。
【００６０】
潜熱蓄熱槽２１の温度を検出する潜熱蓄熱槽温度サーミスタ２３の検出温度が所定温度以下の場合には、潜熱蓄熱槽２１を蓄熱するために、貯湯タンク３１内の水を、複数の温度サーミスタのうち、最も高い位置に配設されている貯湯タンク上部温度サーミスタ３４ａの検出温度が所定温度以上となるように、加熱装置３３（例えば、電気ヒータ）にて加熱し、加熱生成された高温水を貯湯タンク３１に貯える。
【００６１】
そして、貯湯タンク３１の上部に設けられているタンク出水管４２が、潜熱蓄熱槽２１の下流側に設けられている蓄熱入水管４３のみと直接連通するように、第１切換装置５ａの流路方向を、制御装置（図示せず）が切り換えるとともに、蓄熱出水管４４が貯湯タンク３１の下部のみと直接連通するように、第２切換装置５ｂの流路方向を、制御装置（図示せず）が切り換える。
【００６２】
そして、制御装置（図示せず）が、搬送装置４７を駆動させることで、貯湯タンク３１内の高温水は、タンク出水管４２、蓄熱入水管４３を流れ、潜熱蓄熱槽２１を形成する潜熱蓄熱材を加熱し、潜熱蓄熱材の加熱により放熱後の低温水は、蓄熱出水管４４を介して、貯湯タンク３１の下部に戻る。以上により、潜熱蓄熱槽２１は蓄熱される。
【００６３】
以上により、潜熱蓄熱槽２１と貯湯タンク３１とを備えた蓄熱式温水装置１において、潜熱蓄熱槽２１の加熱に伴う電力量の増大や、エネルギー効率の低下を抑制し、かつ、使用性の高い蓄熱式温水装置を提供できる。
【産業上の利用可能性】
【００６４】
以上のように、本発明にかかる蓄熱式温水装置は、潜熱蓄熱槽と貯湯タンクを併用してエネルギー効率を高めることができるので、給湯、暖房、風呂等での温水使用の用途に適用できる。
【符号の説明】
【００６５】
１  蓄熱式温水装置
２  蓄熱ユニット
３  貯湯タンクユニット
５ａ  第１切換装置
５ｂ  第２切換装置
２１  潜熱蓄熱槽
２２  潜熱蓄熱槽用断熱材
２２ａ  上方側潜熱蓄熱槽用断熱材
２２ｂ  下方側潜熱蓄熱槽用断熱材
２３  潜熱蓄熱槽温度サーミスタ
３１  貯湯タンク
３２  貯湯タンク用断熱材
３３  加熱装置
３４ａ  貯湯タンク上部温度サーミスタ
３４ｂ  貯湯タンク中部温度サーミスタ
３４ｃ  貯湯タンク下部温度サーミスタ
４１  タンク入水管
４２  タンク出水管
４３  蓄熱入水管
４４  蓄熱出水管
４５  出湯管
４６  給湯端末
４７  搬送装置
【図１】
2019190668.tif 000003
【図２】
2019190668.tif 000004
【図３】
2019190668.tif 000005
【図４】
2019190668.tif 000006
【図５】
2019190668.tif 000007
【図６】
2019190668.tif 000008